(57)【要約】【課題】リフローはんだ付けに伴う熱収縮によって可撓性シートが張り過ぎたりベース部材から部分的に引き剥がされたりするのを防止できるプッシュスイッチの提供。【解決手段】ハウジング２と、このハウジング２の底板２ａに設けられている固定接点３と、固定接点３に対向していて押圧操作により弾性変形して固定接点３に接触する可動接点９と、ハウジング２の側壁２ｂの突端に粘着により固定されていて、可動接点９が粘着されている可撓性シート１０と、可動接点９の中央部を挟んで固定接点３に対向していて、可動接点９に付与される押圧操作時の操作力を可動接点９の中央部に集中させる操作力集中部材１３とを備えている。可撓性シート１０は中空の位置決め用突出部１１を有し、これに操作力集中部材１３が挿入されている。位置決め用突出部１１は可撓性シート１０が位置決め用突出部１１の方向に収縮することを緩和する貫通孔１２を有する。【選択図】図４
2009140710.tif 000002
【特許請求の範囲】
【請求項１】
ベース部材と、前記ベース部材に設けられている固定接点と、中央部が前記固定接点に対向していて押圧操作により弾性変形して前記固定接点に接触する可動接点と、前記ベース部材に粘着により固定されているとともに前記可動接点を粘着により保持している可撓性シートと、前記可動接点の中央部に重なる前記可撓性シートの個所には、中空の位置決め用突出部が形成されていて、押圧操作時に前記可動接点に付与される操作力を前記可動接点の中央部に集中させるための操作力集中部材が、前記位置決め用突出部に挿入されて位置決めされているプッシュスイッチであって、
前記位置決め用突出部は、前記可撓性シートの前記位置決め用突出部の方向への熱収縮を低減する収縮低減手段を有する
ことを特徴とするプッシュスイッチ。
【請求項２】
ベース部材と、前記ベース部材に設けられている固定接点と、中央部が前記固定接点に対向していて押圧操作により弾性変形して前記固定接点に接触する可動接点と、前記ベース部材に粘着により固定されているとともに前記可動接点を粘着により保持している可撓性シートと、前記可動接点の中央部に重なる前記可撓性シートの個所には、中空の位置決め用突出部が形成されていて、押圧操作時に前記可動接点に付与される操作力を前記可動接点の中央部に集中させるための操作力集中部材が、前記位置決め用突出部に挿入されて位置決めされているプッシュスイッチに採用される可動接点付きシートであって、
前記可動接点、前記可撓性シート、前記操作力集中部材を備えていて、
前記可動接点は、その中央部が前記位置決め用突出部と重なる位置で前記可撓性シートに粘着されていて、
前記操作力集中部材は、前記位置決め用突出部に挿入されていて、
前記位置決め用突出部は、前記可撓性シートの前記位置決め用突出部の方向への熱収縮を低減する収縮低減手段を有する
ことを特徴とする可動接点付きシート。
【請求項３】
請求項２に記載の可動接点付きシートにおいて、
前記収縮低減手段が前記位置決め用突出部の突端に形成された貫通孔であることを特徴とする可動接点付きシート。
【請求項４】
請求項３に記載の可動接点付きシートにおいて、
前記貫通孔が前記位置決め用突出部の突端の中央に形成されているとともに、前記位置決め用突出部の突出方向における形状と相似していることを特徴とする可動接点付きシート。
【請求項５】
請求項２に記載の可動接点付きシートにおいて、
前記位置決め用突出部が筒状に形成されていて、
前記収縮低減手段が前記位置決め用突出部の突端に形成された開口であることを特徴とする可動接点付きシート。
【請求項６】
ベース部材と、前記ベース部材に設けられている複数の固定接点と、前記固定接点に中央部が対向していて押圧操作により弾性変形して前記固定接点に接触する複数の可動接点と、前記ベース部材に粘着により固定されているとともに前記複数の可動接点を粘着により保持している可撓性シートと、前記可動接点のそれぞれの中央部に重なる前記可撓性シートの複数個所には、中空の位置決め用突出部が形成されていて、押圧操作時に前記可動接点に付与される操作力を前記可動接点の中央部に集中させるための複数の操作力集中部材がそれぞれ、前記複数の位置決め用突出部のそれぞれに挿入されて位置決めされているプッシュスイッチユニットに採用される可動接点付きシートにおいて、
前記複数の可動接点、前記可撓性シート、前記複数の操作力集中部材を備えていて、
前記複数の可動接点のそれぞれは、その中央部が前記複数の位置決め用突出部のそれぞれと重なる位置で前記可撓性シートに粘着されていて、
前記複数の操作力集中部材のそれぞれは、前記複数の位置決め用突出部のそれぞれに挿入されていて、
前記位置決め用突出部は、前記可撓性シートの前記位置決め用突出部の方向への熱収縮を低減する収縮低減手段を有する
ことを特徴とする可動接点付きシート。
【発明の詳細な説明】
【技術分野】
【０００１】
本発明は、ハウジングや基板等に粘着により固定されている可撓性シートに、可動接点が粘着により保持されていて、この可動接点の中央部に重なる可撓性シートの個所には中空の位置決め用突出部が形成されていて、押圧操作時の操作力を可動接点の中央部に集中させるための操作力集中部材が位置決め用突出部に挿入されて位置決めされているプッシュスイッチ、および、このプッシュスイッチに採用される可動接点付きシートに関する。
【背景技術】
【０００２】
従来のプッシュスイッチは、ハウジングや基板等のベース部材と、このベース部材に設けられている固定接点と、この固定接点に中央部が対向していて押圧操作により弾性変形して固定接点に接触する可動接点とを備えている。この可動接点は、可撓性シートに粘着されている。この可撓性シートはベース部材に粘着により固定されていて、これによって可動接点はその中央が固定接点に対向した状態に保持されている。
【０００３】
可撓性シートの可動接点の中央部に重なる個所には、中空の位置決め用突出部（凹部）が、プレス成形（いわゆるエンボス加工、または絞り加工）により形成されている。この位置決め用突出部には、押圧操作時に可動接点に付与される操作力を可動接点の中央部に集中させるための操作力集中部材が挿入されている。つまり、操作力集中部材は位置決め用突出部によって可動接点の中央部に重なる位置に位置決めされている。
【０００４】
このように構成されたプッシュスイッチの作製に際しては、可動接点、可撓性シートおよび操作力集中部材をまとめて一部品として扱うために、可動接点付きシートが用いられる。この可動接点付きシートは、可動接点、可撓性シートおよび操作力集中部材を備えている。この可動接点付きシートにおいて、可動接点は、その中央部が位置決め用突出部と重なる位置で可撓性シートに粘着されている。操作力集中部材は可撓性シートの操作力集中部材に挿入された状態である。
【０００５】
ここで説明した従来のプッシュスイッチおよび可動接点付きシートについては特許文献１を参照されたい。
【特許文献１】特開２００７−１７９９２３号公報
【発明の開示】
【発明が解決しようとする課題】
【０００６】
前述した従来のプッシュスイッチでは、位置決め用突出部が可撓性シートに対してプレス成形により設けられていて、ベース部材に対して可撓性シートが粘着により固定されている。プッシュスイッチを回路基板等に設ける場合、リフローはんだ付けを行うことが一般的であり、この際、可撓性シートが加熱される。位置決め用突出部は、プレス成形により可撓性シートの一部を伸ばして形成されているものであるため、加熱された可撓性シートは位置決め用突出部の方向に収縮する。これが原因で、可撓性シートが張り過ぎたり、可撓性シートがベース部材から部分的に引き剥がされて可撓性シートの張りが不足したりする。可動接点は可撓性シート越しに押圧操作されるものであるから、可撓性シートの張りが過剰になったり不足したりすると、プッシュスイッチの押圧操作の感触が劣化する。
【０００７】
本発明は、前述の事情を考慮してなされたものであり、その目的は、リフローはんだ付けに伴う可撓性シートの熱収縮によって可撓性シートが張り過ぎたりベース部材から部分的に引き剥がされたりすることを防止できるプッシュスイッチおよび可動接点付きシートを提供することにある。
【課題を解決するための手段】
【０００８】
本発明は、前述の目的を達成するために、次のように構成されている。
【０００９】
〔１〕  本発明のプッシュスイッチは、ベース部材と、前記ベース部材に設けられている固定接点と、中央部が前記固定接点に対向していて押圧操作により弾性変形して前記固定接点に接触する可動接点と、前記ベース部材に粘着により固定されているとともに前記可動接点を粘着により保持している可撓性シートと、前記可動接点の中央部に重なる前記可撓性シートの個所には、中空の位置決め用突出部が形成されていて、押圧操作時に前記可動接点に付与される操作力を前記可動接点の中央部に集中させるための操作力集中部材が、前記位置決め用突出部に挿入されて位置決めされているプッシュスイッチであって、前記位置決め用突出部は、前記可撓性シートの前記位置決め用突出部の方向への熱収縮を低減する収縮低減手段を有することを特徴とする。
【００１０】
このよう構成された本発明のプッシュスイッチは、位置決め用突出部が収縮低減手段を有するので、リフローはんだ付けに伴う可撓性シートの熱収縮によって可撓性シートが張り過ぎたりベース部材から部分的に引き剥がされたりすることを防止できる。
【００１１】
〔２〕  本発明の可動接点付きシートは、ベース部材と、前記ベース部材に設けられている固定接点と、中央部が前記固定接点に対向していて押圧操作により弾性変形して前記固定接点に接触する可動接点と、前記ベース部材に粘着により固定されているとともに前記可動接点を粘着により保持している可撓性シートと、前記可動接点の中央部に重なる前記可撓性シートの個所には、中空の位置決め用突出部が形成されていて、押圧操作時に前記可動接点に付与される操作力を前記可動接点の中央部に集中させるための操作力集中部材が、前記位置決め用突出部に挿入されて位置決めされているプッシュスイッチに採用される可動接点付きシートであって、前記可動接点、前記可撓性シート、前記操作力集中部材を備えていて、前記可動接点は、その中央部が前記位置決め用突出部と重なる位置で前記可撓性シートに粘着されていて、前記操作力集中部材は、前記位置決め用突出部に挿入されていて、前記位置決め用突出部は、前記可撓性シートの前記位置決め用突出部の方向への熱収縮を低減する収縮低減手段を有することを特徴とする。
【００１２】
〔３〕  本発明の可動接点付きシートは、「〔２〕」に記載の可動接点付きシートにおいて、前記収縮低減手段が前記位置決め用突出部の突端に形成された貫通孔であることを特徴とする。
【００１３】
このように構成された可動接点付きシートでは、可撓性シートには、位置決め用突出部以外の可撓性シートの部分を位置決め用突出部の方向に引っ張る熱収縮だけでなく、貫通孔を広げる方向の熱収縮も生じる。これにより、熱収縮時に可撓性シートの部分が位置決め用突出部の方向に収縮することの緩和を実現している。
【００１４】
〔４〕  本発明の可動接点付きシートは、「〔３〕」に記載の可動接点付きシートにおいて、前記貫通孔が前記位置決め用突出部の突端の中央に形成されているとともに、前記位置決め用突出部の突出方向における形状と相似していることを特徴とする。
【００１５】
〔５〕  本発明の可動接点付きシートは、「〔２〕」に記載の可動接点付きシートにおいて、前記位置決め用突出部が筒状に形成されていて、前記収縮低減手段が前記位置決め用突出部の突端に形成された開口であることを特徴とする。
【００１６】
「〔４〕」，「〔５〕」に記載の動接点付きシートでは、熱収縮に伴う位置決め用突出部の形状の歪みを低減することができる。
【００１７】
〔６〕  本発明の可動接点付きシートは、ベース部材と、前記ベース部材に設けられている複数の固定接点と、前記固定接点に中央部が対向していて押圧操作により弾性変形して前記固定接点に接触する複数の可動接点と、前記ベース部材に粘着により固定されているとともに前記複数の可動接点を粘着により保持している可撓性シートと、前記可動接点のそれぞれの中央部に重なる前記可撓性シートの複数個所には、中空の位置決め用突出部が形成されていて、押圧操作時に前記可動接点に付与される操作力を前記可動接点の中央部に集中させるための複数の操作力集中部材がそれぞれ、前記複数の位置決め用突出部のそれぞれに挿入されて位置決めされているプッシュスイッチユニットに採用される可動接点付きシートにおいて、前記複数の可動接点、前記可撓性シート、前記複数の操作力集中部材を備えていて、前記複数の可動接点のそれぞれは、その中央部が前記複数の位置決め用突出部のそれぞれと重なる位置で前記可撓性シートに粘着されていて、前記複数の操作力集中部材のそれぞれは、前記複数の位置決め用突出部のそれぞれに挿入されていて、前記位置決め用突出部は、前記可撓性シートの前記位置決め用突出部の方向への熱収縮を低減する収縮低減手段を有することを特徴とする。
【発明の効果】
【００１８】
「〔１〕」に記載の本発明のプッシュスイッチおよび「〔２〕」に記載の本発明の可動接点付きシートは、可撓性シートの位置決め用突出部が収縮低減手段を有するので、リフローはんだ付けに伴う可撓性シートの熱収縮によって可撓性シートが張り過ぎたりベース部材から部分的に引き剥がされたりすることを防止できる。この結果、プッシュスイッチのリフローはんだ付けに伴う操作感触の劣化を防止できる。
【００１９】
「〔６〕」に記載の本発明の可動接点付きシートは、可撓性シートの位置決め用突出部が収縮低減手段を有するので、プッシュスイッチユニットのリフローはんだ付けに伴う可撓性シートの熱収縮によって可撓性シートが張り過ぎたりベース部材から部分的に引き剥がされたりすることを防止できる。この結果、プッシュスイッチユニットを構成する各プッシュスイッチの、リフローはんだ付けに伴う操作感触の劣化を防止できる。
【発明を実施するための最良の形態】
【００２０】
本発明の実施形態について次の「＜１＞」，「＜２＞」で説明する。
【００２１】
＜１＞  本発明のプッシュスイッチ、およびこのプッシュスイッチに採用される可動接点付きシートの実施形態について図１〜６を用いて説明する。
【００２２】
図１は本発明の実施形態に係るプッシュスイッチの斜視図である。図２は図１に示したプッシュスイッチの分解斜視図である。図３は図１に示したプッシュスイッチの上面図を簡略化した図ある。図４は図３のIV−IV断面図である。図５は本発明の実施形態に係る可動接点付きシートを示し、（ａ）は図４に対応する断面図であり、（ｂ）は位置決め用突出部の上面図である。図６は図５に示す位置決め用突出部および操作力集中部材を可撓性シートに設ける手順を示す図である。
【００２３】
図１〜４に示すように、プッシュスイッチ１は、ベース部材としての合成樹脂製のハウジング２を備えている。このハウジング２は、上面視形状が略正方形に形成されていて、底板２ａと円筒状の側壁２ｂとを有する。底板２ａと側壁２ｂによって収納空間が形成されている。底板２ａには、固定接点３およびコモン接点４Ａ，４Ｂが設けられている。固定接点３は、底板２ａの中央で収納空間に対して露出している。コモン接点４Ａ，４Ｂは底板２ａの内部で連続していて、固定接点３の外周側で収納空間に対して露出している。ハウジング２には、端子５〜８が設けられている。端子５，６は、底板２ａの内部で固定接点３と連続している。端子７，８は、底板２ａの内部でコモン接点４Ａ，４Ｂと連続している。
【００２４】
ハウジング２にはドーム状の可動接点９が挿入されている。この可動接点９はその凹曲面側を底板２ａに向けた状態で底板２ａと重なっている。可動接点９の中央部は、固定接点３に対向している。可動接点９の縁部はコモン接点４Ａ，４Ｂに接触している。可動接点９は、底板２ａの方向への押圧操作により弾性変形して、すなわち復元可能に座屈して固定接点３に接触するようになっている。
【００２５】
可動接点９は、粘着層付き可撓性シート１０に粘着されて保持されている。この可撓性シート１０は、耐熱性の合成樹脂、例えばポリイミド製のシート本体１０ａの一方の面に粘着層１０ｂを設けてなる。この可撓性シート１０は、ハウジング２の底板２ａとは反対側の一端面に、粘着により固定されている。これにより、可動接点９は、その中央部が固定接点３に対向した状態に保持されている。
【００２６】
可動接点９の中央部を挟んで固定接点３に対向する位置には、可動接点９に付与される押圧操作時の操作力を可動接点９の中央部に集中させるための操作力集中部材１３が配置されている。
【００２７】
可撓性シート１０の可動接点９の中央部に重なる個所には、中空の位置決め用突出部１１がプレス成形により形成されている。この位置決め用突出部１１には操作力集中部材１３が挿入されている。つまり、操作力集中部材１３は位置決め用突出部１１によって可動接点９の中央部と重なる位置に位置決めされている。なお、操作力集中部材１３は、位置決め用突出部１１内において粘着層１０ｂにより位置決め用突出部１１の内面に粘着されている。
【００２８】
位置決め用突出部１１には、可撓性シート１０の位置決め用突出部１１の方向への熱収縮を低減する収縮低減手段としての貫通孔１２が形成されている。この貫通孔１２は、位置決め用突出部１１の突端の中央に形成されていて、位置決め用突出部１１の突出方向における形状、すなわち上面視形状と相似している。例えば、位置決め用突出部１１の上面視形状も貫通孔１２も円形に形成されている。
【００２９】
プッシュスイッチ１の作製に際しては、可動接点９、可撓性シート１０および操作力集中部材１３をまとめて一部品として扱うために、図５に示す可動接点付きシート１５が用いられる。この可動接点付きシート１５は、可動接点９、可撓性シート１０および操作力集中部材１３を備えている。この可動接点付きシート１５において、可動接点９は、その中央部が位置決め用突出部１１と重なる位置で可撓性シート１０に粘着されている。操作力集中部材１３は可撓性シート１０の位置決め用突出部１１に挿入された状態で、粘着層１０ｂによって位置決め用突出部１１の内面に粘着されている。
【００３０】
位置決め用突出部１１、操作力集中部材１３は、図６に示すようにして設けられる。
【００３１】
まず、シート体１６を作製する。つまり、可撓性シート１０の粘着層１０ｂに貫通孔１２（収縮低減手段）を形成して剥離シート１７を貼り付ける。この剥離シート１７は、可撓性シート１０に粘着層１０ｂを残しつつ粘着層１０ｂから剥離可能なシートである。
【００３２】
次に、シート体１６をポンチ１８とダイ１９との間に配置する。このとき、可撓性シート１０をダイ１９側に向け、剥離シート１７をポンチ１８側に向ける。
【００３３】
次に、ポンチ１８とダイ１９を使用して、操作力集中部材１３の形成、位置決め用突出部１１の形成、位置決め用突出部１１への操作力集中部材１３の挿入および粘着を一工程で行う。
【００３４】
つまり、操作力集中部材１３は、ポンチ１８により剥離シート１７を打ち抜き、打ち抜かれた剥離シート１７の断片を、可撓性シート１０ごとダイ１９に押し付けて圧縮変形（塑性変形）させることによって形成する。これと並行して、操作力集中部材１３になる剥離シート１７の部分ごと可撓性シート１０を剥離シート１７から離れる方向にポンチ１８により押し出しダイ１９に押し付けて塑性変形させることによって、位置決め用突出部１１の形成、位置決め用突出部１１への操作力集中部材１３の挿入および粘着を行う。
【００３５】
最後に、ダイ１９およびポンチ１８をシート体１６から離間させ、可撓性シート１０への位置決め用突出部１１の形成、操作力集中部材１３の形成および位置決め用突出部１１への挿入および粘着が完了する。
【００３６】
このようにして作製された中間シート体２０から孔のあいた剥離シート１７を剥がし、可動接点９の中央部を操作力集中部材１３と重なるように粘着層１０ｂに付着させると、可動接点付きシート１５が完成する。
【００３７】
本発明の実施形態に係るプッシュスイッチ１および可動接点付きシート１５によれば次の効果を得られる。
【００３８】
本実施形態に係るプッシュスイッチ１および可動接点付きシート１５では、可撓性シート１０の位置決め用突出部１１が貫通孔１２（収縮低減手段）を有するので、プッシュスイッチ１のリフローはんだ付けの際、可撓性シート１０には、位置決め用突出部１１以外の可撓性シート１０の部分を位置決め用突出部１１の方向に引っ張る熱収縮だけでなく、貫通孔１２を広げる方向の熱収縮も生じる。これにより、プッシュスイッチ１のリフローはんだ付けに伴う可撓性シートの熱収縮によって可撓性シート１０が張り過ぎたりハウジング２の側壁２ｂから部分的に引き剥がされたりすることを防止できる。この結果、プッシュスイッチ１のリフローはんだ付けに伴う押圧操作時の操作感触の劣化を防止できる。
【００３９】
本実施形態に係るプッシュスイッチ１および可動接点付きシート１５では、貫通孔１２（収縮低減手段）は、位置決め用突出部１１の突端の中央に形成されているとともに、位置決め用突出部１１の突出方向における形状（上面視形状）と相似している。これにより、熱収縮に伴う位置決め用突出部の形状の歪みを低減することができる。
【００４０】
なお、前述の実施形態に係るプッシュスイッチ１および可動接点付きシート１５では、可動接点９がドーム状であるが、本発明における可動接点は、その中央部が固定接点に対向していて押圧操作により弾性変形して固定接点に接触するものであればよく、ドーム状に限定されるものではない。
【００４１】
前述の実施形態に係るプッシュスイッチ１および可動接点付きシート１５では、収縮低減手段が貫通孔１２であったが、本発明における収縮低減手段は貫通孔に限定されるものではなく、切溝であってもよい。
【００４２】
前述の実施形態に係るプッシュスイッチ１および可動接点付きシート１５では、収縮低減手段である貫通孔１２が位置決め用突出部１１の突端の中央に形成されるとともに、貫通孔１２の形状が、位置決め用突出部１１の突出方向における位置決め用突出部１１および貫通孔１２の形状が円形に設定されている。これは、収縮低減手段である貫通孔が位置決め用突出部の突端の中央に形成されているとともに、その貫通孔の形状が、位置決め用突出部の突出方向における形状と相似形に設定されているものの一例であり、本発明における位置決め用突出部および貫通孔の形状はそれに限定されるものではない。その他の形状としては、図７，８に示すものであってもよい。図７，８はそれぞれ、図５に示した位置決め用突出部および収縮低減手段である貫通孔の形状の別の例を示し、（ａ）は図５（ａ）に対応する断面図であり、（ｂ）は図５（ｂ）に対応する上面図である。これら図７，８に示すように、位置決め用突出部１１および貫通孔１２は、正方形や正６角形等の正多角形であってもよいし、図示しないが、ひし形、長方形、楕円形であってもよい。
【００４３】
前述の実施形態に係るプッシュスイッチ１および可動接点付きシート１５は、収縮低減手段である貫通孔が位置決め用突出部の突端の中央に形成されているとともに、位置決め用突出部の突出方向における形状と相似している一例であったが、本発明における収縮低減手段はそのような貫通孔に限定されるものではない。位置決め用突出部が筒状に形成されていて、位置決め用突出部の突端に形成された開口が収縮低減手段であってもよい。
【００４４】
前述の実施形態に係るプッシュスイッチ１および可動接点付きシート１５では、ポンチ１８とダイ１９により、操作力集中部材１３の形成、位置決め用突出部１１の形成、位置決め用突出部１１への操作力集中部材１３の挿入とが一工程で実現されている例であった。操作力集中部材１３の形成、位置決め用突出部１１の形成、位置決め用突出部１１への操作力集中部材１３の挿入は別工程で行われてもよく、この場合、位置決め用突出部１１に操作力集中部材１３を挿入する際、位置決め用突出部１１内の空気を貫通孔１２から逃がすことができるので、操作力集中部材１３を位置決め用突出部１１に挿入しやすい。
【００４５】
＜２＞  プッシュスイッチユニットに採用される本発明の可動接点付きシートの実施形態について図９〜１２を用いて説明する。
【００４６】
図９は本発明の実施形態に係る可動接点付きシートを備えたプッシュスイッチユニットの上面図である。図１０は図９のX−X断面図である。図１１は図９に示したプッシュスイッチの拡大図である。図１２は本発明の実施形態に係る可動接点付きシートの図１０に対応する断面図である。
【００４７】
図９に示すように、プッシュスイッチユニット１００は、ベース部材としての合成樹脂製の基板１０２を備えている。この基板１０２の一方の面には、固定接点１０３および環状のコモン接点１０４の組が複数（図９では１２個）並んで設けられている。固定接点１０３およびコモン接点１０４はそれぞれ図示しない端子と連続しているものである。
【００４８】
基板１０２の一方の面側には、ドーム状の複数の可動接点１０９が、固定接点１０３およびコモン接点１０４に対応して並べられている。各可動接点１０９は、その凹曲面側を基板１０２に向けた状態で基板１０２と重なっている。可動接点１０９の中央部は、固定接点１０３に対向している。可動接点１０９の縁部はコモン接点１０４に接触している。可動接点１０９は、基板１０２の方向への押圧操作により弾性変形して、すなわち復元可能に座屈して固定接点１０３に接触するようになっている。
【００４９】
複数の可動接点１０９はすべて、粘着層付き可撓性シート１１０に粘着されている。この可撓性シート１１０は、耐熱性の合成樹脂、例えばポリイミド製の本体シート１１０ａに粘着層１１０ｂを設けてなる。可撓性シート１１０は、基板１０２に粘着により固定されている。これにより、複数の可動接点１０９はそれぞれ、その中央部が複数の固定接点１０３のそれぞれに対向した状態に保持されている。
【００５０】
可動接点１０９の中央部を挟んで固定接点１０３に対向する位置には、可動接点１０９に付与される押圧操作時の操作力を可動接点１０９の中央部に集中させるための操作力集中部材１１３が配置されている。
【００５１】
可撓性シート１１０の可動接点１０９の中央部に重なる個所には、中空の位置決め用突出部１１１がプレス成形により形成されている。この位置決め用突出部１１１には操作力集中部材１１３が挿入されている。つまり、操作力集中部材１１３は位置決め用突出部１１１によって可動接点１０９の中央部と重なる位置に位置決めされている。なお、操作力集中部材１１３は、位置決め用突出部１１１内において粘着層１１０ｂにより位置決め用突出部１１１に粘着されている。
【００５２】
位置決め用突出部１１１には、可撓性シート１１０の位置決め用突出部１１１の方向への熱収縮を低減する収縮低減手段としての貫通孔１１２が形成されている。この貫通孔１１２は、位置決め用突出部１１１の突端の中央に形成されている。また、貫通孔１１２は位置決め用突出部１１１の突出方向における形状、すなわち上面視形状と相似している。例えば、位置決め用突出部１１１の上面視形状も貫通孔１１２も楕円形に形成されている。
【００５３】
つまり、プッシュスイッチユニット１００は、基板１０２、固定接点１０３、コモン接点１０４、可動接点１０９、可撓性シート１１０、操作力集中部材１１３を備えた図１１に示すプッシュスイッチ１０１が複数一体化されたものである。
【００５４】
プッシュスイッチユニット１００の作製に際しては、複数の可動接点１０９、可撓性シート１１０および複数の操作力集中部材１１３をまとめて一部品として扱うために、図１２に示す可動接点付きシート１１５が用いられる。この可動接点付きシート１１５は、複数の可動接点１０９、可撓性シート１１０、複数の操作力集中部材１１３を備えている。この可動接点付きシート１１５において、可動接点１０９は、その中央部が位置決め用突出部１１１と重なる位置で可撓性シート１１０に粘着されている。操作力集中部材１１３は可撓性シート１１０の位置決め用突出部１１１に挿入された状態で位置決め用突出部１１１が粘着されている。つまり、可動接点付きシート１１５はプッシュスイッチユニット１００から基板１０２およびすべての固定接点１０３を取り除いた状態のものである。
【００５５】
本実施形態に係る可動接点付きシート１１５によれば、「＜１＞」で説明した可動接点付きシート１５の場合と同様に、次の効果が得られる。
【００５６】
本実施形態に係る可動接点付きシート１１５では、可撓性シート１１０の位置決め用突出部１１１が貫通孔１１２（収縮低減手段）を有するので、プッシュスイッチユニット１００のリフローはんだ付けの際、可撓性シート１１０には、位置決め用突出部１１１以外の可撓性シート１１０の部分を位置決め用突出部１１１の方向に引っ張る熱収縮だけでなく、貫通孔１１２を広げる方向の熱収縮も生じる。これにより、プッシュスイッチユニット１００のリフローはんだ付けに伴う可撓性シート１１０の熱収縮によって可撓性シート１１０が張り過ぎたり基板１０２から部分的に引き剥がされたりすることを防止できる。この結果、プッシュスイッチユニット１００を構成する各プッシュスイッチ１０１の、リフローはんだ付けに伴う操作感触の劣化を防止できる。
【００５７】
本実施形態に係る可動接点付きシート１１５では、貫通孔１１２（収縮低減手段）が位置決め用突出部１１１の突端の中央に形成されているとともに、位置決め用突出部１１１の突出方向における形状（上面視形状）と相似している。これにより、熱収縮に伴う位置決め用突出部の形状の歪みを低減することができる。
【図面の簡単な説明】
【００５８】
【図１】本発明の実施形態に係るプッシュスイッチの斜視図である。
【図２】図１に示したプッシュスイッチの分解斜視図である。
【図３】図１に示したプッシュスイッチの上面図を簡略化した図ある。
【図４】図３のIV−IV断面図である。
【図５】本発明の実施形態に係る可動接点付きシートを示し、（ａ）は図４に対応する断面図であり、（ｂ）は位置決め用突出部の上面図である。
【図６】図５に示す位置決め用突出部および操作力集中部材を可撓性シートに設ける手順を示す図である。
【図７】図５に示した位置決め用突出部および貫通孔（収縮低減手段）の形状の別の例を示し、（ａ）は図５（ａ）に対応する断面図であり、（ｂ）は図５（ｂ）に対応する上面図である。
【図８】図５に示した位置決め用突出部および貫通孔（収縮低減手段）の形状の別の例を示し、（ａ）は図５（ａ）に対応する断面図であり、（ｂ）は図５（ｂ）に対応する上面図である。
【図９】本発明の実施形態に係る可動接点付きシートを備えたプッシュスイッチユニットの上面図である。
【図１０】図９のX−X断面図である。
【図１１】図９に示したプッシュスイッチの拡大図である。
【図１２】本発明の実施形態に係る可動接点付きシートの図１０に対応する断面図である。
【符号の説明】
【００５９】
１  プッシュスイッチ
２  ハウジング
２ａ  底板
２ｂ  側壁
３  固定接点
４Ａ，４Ｂ  コモン接点
５〜８  端子
９  可動接点
１０  可撓性シート
１０ａ  シート本体
１０ｂ  粘着層
１１  位置決め用突出部
１２  貫通孔
１３  操作力集中部材
１５  可動接点付きシート
１６  シート体
１７  剥離シート
１８  ポンチ
１９  ダイ
２０  中間シート体
１００  プッシュスイッチユニット
１０１  プッシュスイッチ
１０２  基板
１０３  固定接点
１０４  コモン接点
１０９  可動接点
１１０  可撓性シート
１１０ａ  シート本体
１１０ｂ  粘着層
１１１  位置決め用突出部
１１２  貫通孔
１１３  操作力集中部材
１１５  可動接点付きシート
【図１】
2009140710.tif 000003
【図２】
2009140710.tif 000004
【図３】
2009140710.tif 000005
【図４】
2009140710.tif 000006
【図５】
2009140710.tif 000007
【図６】
2009140710.tif 000008
【図７】
2009140710.tif 000009
【図８】
2009140710.tif 000010
【図９】
2009140710.tif 000011
【図１０】
2009140710.tif 000012
【図１１】
2009140710.tif 000013
【図１２】
2009140710.tif 000014